(57)【要約】【課題】集積された汚物の臭気の漏出を確実に阻止し、美的外観を良好にした壁面収納型のサニタリーボックスを提供する。【解決手段】本発明に係るサニタリーボックスは、壁面に設けられた収納空Ｓに収納されるものであって、前面が開放された箱形に形成されて収納空間Ｓに嵌込まれる筐体１と、少なくともその一端が筐体１に回動可能に支持されて収納空間の全面を覆う前板２と、前板に開口され汚物が投入される投入口４と、前板の背部側で投入口よりも下方に設けられ内部に汚物を集積させる集積室５と、投入口を開閉する開閉手段４と、筐体１の内側を消臭する機能を有する消臭機能部１００Ａとを備えている。【選択図】図９
2020116355.tif 000002
【特許請求の範囲】
【請求項１】
壁面に設けられた収納空間に収納されるものであって、
前面が開放された箱形に形成されて前記収納空間に嵌込まれる筐体と、
少なくともその一端が前記筐体に回動可能に支持されて前記収納空間の全面を覆う前板と
前記前板に開口され汚物が投入される投入口と、
前記前板の背部側で前記投入口よりも下方に設けられ内部に汚物を集積させる集積室と、
前記投入口を開閉する開閉手段と、
前記筐体の内側を消臭する機能を有する消臭機能部と、
を備えることを特徴とするサニタリーボックス。
【請求項２】
前記消臭機能部は、前記筐体の内部空間に設置した紫外線ランプ又は青色ＬＥＤ殺菌灯あるいは、前記筐体又は前記集積室の少なくとも一方における汚物と接触可能な構成部分に、滅菌塗装又は抗菌加工を施した層を形成して構成したもの、あるいは前記筐体、前記集積室の少なくとも一方を、滅菌機能や消臭機能を有する素材で形成して構成したものであることを特徴とする請求項１に記載のサニタリーボックス。
【請求項３】
前記消臭機能部は、前記筐体の内部空間に設置した紫外線ランプと、前記筐体又は前記集積室の少なくとも一方における汚物と接触可能な構成部分に設けられていて、前記紫外線ランプから照射される光と反応する光触媒層とを有することを特徴とする請求項１に記載のサニタリーボックス。
【請求項４】
前記消臭機能部は、前記筐体に形成されていて、当該筐体の外部からの外光を筐体内部に取り込む光取り込み部と、前記筐体又は前記集積室の少なくとも一方における汚物と接触可能な構成部分に設けられていて、前記光取り込み部から前記筐体内部に取り込まれた光と反応する光触媒層とを有することを特徴とする請求項１に記載のサニタリーボックス。
【請求項５】
前記開閉手段は、前記投入口を全閉する位置と全開する位置とへ開閉移動可能なシャッターと、前記シャッターを手動で開閉操作可能な操作部とを有することを特徴とする請求項１乃至４の何れか１項に記載のサニタリーボックス。
【発明の詳細な説明】
【技術分野】
【０００１】  本発明は、壁面収納型のサニタリーボックスに関する。
【背景技術】
【０００２】  最近、女性用トイレ等に設置されて生理用布，化粧用布等の汚物の投棄に使用されるサニタリーボックスについては、美観上等の観点から床設置タイプから壁面収納型に移行される傾向がある。【０００３】  従来、壁面収納型のサニタリーボックスとしては、屋根形に形成された上部に汚物が投入される投入口が開口され、箱形に形成された下部の内部に汚物を集積させる集積室が設けられ、上部と下部との一部が回動可能に構成されたものが提案されている（例えば特許文献１）。
【先行技術文献】
【特許文献】
【０００４】
【特許文献１】特開２００２−２４８０６６号公報
【発明の概要】
【発明が解決しようとする課題】
【０００５】  特許文献１に係るサニタリーボックスでは、汚物が投入される投入口が常時開口されているため、集積室に集積されている汚物の臭気が漏出してしまうという問題点がある。また、上部と下部とからなる全体が露出されてしまうため、外観体裁が不良であるという問題点がある。【０００６】  本発明は、集積された汚物の臭気の漏出が確実に阻止されるとともに外観体裁が良好なサニタリーボックスを提供することを、その目的とする。
【課題を解決するための手段】
【０００７】  上記目的を達成するため、本発明に係るサニタリーボックスは、壁面に設けられた収納空間に収納されるものであって、前面が開放された箱形に形成されて収納空間に嵌込まれる筐体と、少なくともその一端が筐体に回動可能に支持されて収納空間の全面を覆う前板と、前板に開口され汚物が投入される投入口と、前板の背部側で投入口よりも下方に設けられ内部に汚物を集積させる集積室と、投入口を開閉する開閉手段と、筐体の内側を消臭する機能を有する消臭機能部とを備えていることを特徴としている。
【発明の効果】
【０００８】  本発明によれば、前板に開口され汚物が投入される投入口を開閉する開閉手段を備えているので、集積室と外部との連通を遮断することができるため、サニタリーボックス内に集積された汚物の臭気の漏出が確実に阻止される効果を得られる。
本発明によれば、ケーシング内を消臭する機能を有する消臭機能部を備えているので、サニタリーボックス内に集積された汚物の臭気の漏出が確実に阻止される効果がある。
【図面の簡単な説明】
【０００９】
【図１】本発明の実施形態１に係るサニタリーボックスの構成を説明する図。
【図２】実施形態１に係るサニタリーボックスの前板が開いた状態を説明する図。
【図３】実施形態１に係るサニタリーボックスの外観形状を説明する図。
【図４】実施形態１に係るサニタリーボックスを正面側から見た外観図。
【図５】開閉手段の一形態を説明する図。
【図６】サニタリーボックスの設置状態を示す図。
【図７】サニタリーボックスの設置状態を示す図。
【図８】前板に設けたにスイッチ、センサの構成を説明する図。
【図９】実施形態２のサニタリーボックスの構成を説明する図。
【図１０】実施形態３に係るサニタリーボックスの構成を説明する図。
【図１１】実施形態４に係るサニタリーボックスの構成を説明する図。
【図１２】実施形態４に係るサニタリーボックスの変形例を説明する図。
【図１３】実施形態４に係るサニタリーボックスの変形例を説明する図。
【発明を実施するための形態】
【００１０】  以下、本発明の実施形態について図面を用いて説明する。実施形態中、同一部材や同一の機能を有する部材には同一の符号を付し、重複説明は極力省略する。図面は、一部構成の理解を助けるために部分的に省略する場合がある。
【００１１】（実施形態１）
本実施形態に係るサニタリーボックスは、図１、図２に示すように、筐体となるケーシング１，前板２，前板支持手段３，投入口４，集積室５，インナケーシング６，ロック部材８及び開閉手段７の各部で構成されている。本実施形態に係るサニタリーボックスは、図６、図７に示すように、トイレの便器の背部のライジングからなる壁面に設けられた方形の収納空間Ｓに収納される。
ケーシング１は、収納空間Ｓに嵌込まれるように前面が開放された方形の箱形に形成されている。ケーシング１は、収納空間Ｓに嵌込まれて収納空間Ｓの周囲にあるライジングのフレームＦにネジ等で固定される。
【００１２】  前板２は、収納空間Ｓの全面を覆う方形の平板状に形成されている。前板２は収納空間Ｓの壁面に形成される開口面積よりも大きく、壁面との対向部位２Ａが図３、図４に示すように、フランジとして機能し得る大きさを有している。
【００１３】  前板支持手段３は、図１、図２に示すように、前板２の一端である下端部をケーシング１に回動可能に支持するもので、前板２の下端側部に固定された円弧板形の支持プレート３１と、支持プレート３１に穿孔された円弧長孔形のピン孔３２と、ケーシング１の下端側部に突出固定されピン孔３２に挿通される支持ピン３３を有している。
【００１４】  投入口４は、前板２の上部に、トレイ空間とケーシング１内とを連通するように円形に開口されている。この投入口４は、汚物が投入されるもので、少なくとも汚物が通過できる大きさを有していればよいが、使用者の使い勝手を考慮すると、汚物を掴んだ手が挿入できる大きさに開口されるのが望ましい。
【００１５】  集積室５は、内部に汚物を集積させるもので、上部開放の箱形に形成されて前板２の背部側の下部（投入口４よりも下方）に固定されて配設されている。集積室５は、ケーシング１の前側から収納空間Ｓ内（奥側）に向けて背高が低くなるように上端縁５１が傾斜されている。集積室５には、上端縁５１に内部にセットされて汚物を収納する袋等を掛けるフランジ５２が設けられている。
【００１６】  インナケーシング６は、投入口４と集積室５に連通し投入口４から集積室５に至る汚物の投入経路を区画するもので、ケーシング１の上部に固定されている。
ロック部材８は、前板２をケーシング１に吸着保持するもので、前板２に取付けられたマグネット８１と、ケーシング１に取付けられた鉄ブロック８２とから構成されている。
【００１７】  開閉手段７は、図１，図４に示すように、投入口４を開閉するもので、前板２の背部側に設けられている。開閉手段７は、図５に示すように、平時は投入口４を全閉する大きさを有し、使用時に投入口４を全開にするシャッター７０を備えている。シャッター７０の開閉方式については、手動式、自動式が挙げられる。
【００１８】  手動式の場合、例えば板状のシャッター７０の一部を前板２に回動可能に支持する。この時の回動範囲は、少なくとも投入口４を全閉する位置から全開する位置とする。シャッター７０に操作部となる軸部７２をトレイ側に突出するように設ける。なお、シャッター７０を回動する操作を、投入口４を開閉する開閉操作という。つまり、軸部７２は、シャッター７０を手動で開閉操作可能な操作部である。軸部７２の突出する方向はトレイ側としているが、これはサニタリーボックスをトレイで使用することを想定しているためである。軸部７２の突出する方向とは、筐体１の内部と反対方向であり、手動操作可能な方向である。手動操作の概念には、人の手で軸部７２を摘まんで操作する概念と、工具を軸部７２にセットして操作する概念が含まれる。
前板２には、軸部７２が挿通可能な大きさで、シャッター７０を全閉する位置から全開する位置まで移動可能な範囲で円弧状のスリット７１が形成されている。そして、軸部７２をスリット７１に挿通させることで、シャッター７０は、回動可能に支持された部位を中心にスリット７１によって軸部７２がガイドされながら開閉操作可能に前板２に支持される。
【００１９】  一方、自動式の場合、シャッター７０をスライドまたは回動可能に支持するとともに、モーターやソレノイド等の電気的なアクチュエータを用いてシャッター７０をスライドまたは回動し、投入口４を全閉する位置と全開する位置とに開閉動作するようにすればよい。アクチュエータの起動や停止は、手動式のオン／オフスイッチ１０５または光学的に人体を検知可能なセンサ１０６を図８に示すように前板２に設け、オン／オフスイッチ１０５やセンサ１０６から信号で起動や停止を行えるようにすればよい。人体を検知可能なセンサ１０６は、投入口４の周囲に配置することで、汚物を持った手が投入口４に知近づいて捨てる際に、シャッター７０が開閉動作することになる。このことは、投入口４が解放される時期を、汚物を捨てる間際まで、閉じておくことができるため、臭気が外部に漏れることを抑制するという効果がある。
【００２０】  このような構成のサニタリーボックスを使用するには、使用者がシャッター７０を開閉操作、あるいはセンサ１０６に手をかざすことで全閉位置にあるシャッター７０を全開位置へと開閉動作させて投入口４を開口状態とする。そして前板２がケーシング１に吸着保持された状態で、汚物を掴んだ手を投入口４から挿入して、掴んでいる汚物を離して集積室５の内部に落下させる。落下した汚物は、集積室５の内部に収納される。
汚物の投入後は、使用者がシャッター７０を開閉操作して全閉位置まで戻す、あるいはアクチュエータの起動でシャッター７０を全閉位置に戻すことで、投入口４が全閉（閉塞）される。
【００２１】  このように、本実施形態で説明したサニタリーボックスは、前板２に開口され汚物が投入される投入口４を開閉する開閉手段７を備えているので、集積室５と外部（トレイ室内）との連通を遮断することができる。このため、集積室５の内部に集積された汚物の臭気の漏出が確実に阻止される効果を得られる。収納空間Ｓの前面を覆う前板２を備えることで、全体の露出が避けられるため、美的外観が良好になる効果を得られる。
また、投入口４から集積室５に至る汚物の投入経路がインナケーシング６によって区画されているため、汚物の散乱が防止されて内部の無用の汚損が防止される。
【００２２】  集積室５に集積されている汚物を回収するには、図２に示すように、前板２を前側に回動させ傾倒させる。この結果、集積室５の上方側が外部に開放されることになるため、集積室５に集積されている汚物（または汚物が集積された袋）を容易に回収することができる。
このとき、前板支持手段３によって前板２の回動域が規制されているため、前板２が必要以上に回動して各部を損傷するようなことは起こらず、耐久性の面で好ましい。
【００２３】（実施形態２）
本実施形態は、ケーシング１内を消臭する機能を有する消臭機能部を備えたものである。消臭機能部としては、例えば図９に示すように筐体であるケーシング１の内部空間に設置した紫外線ランプ１００が挙げられる。本実施形態では、紫外線ランプ１００をケーシング１の上部に配設されている。紫外線ランプ１００は殺菌作用があり、紫外線ランプ１００をケーシング１内部で点灯あるいは点滅させることで、汚物やケーシング１内部全体が殺菌されることで、除菌されるため、臭気の発生を低減でき、集積室５の内部に集積された汚物の臭気の漏出が確実に阻止される効果を得られる。紫外線ランプ１００ではなく、青色ＬＥＤ殺菌灯を用いてもよい。
消臭機能部としては、ケーシング１、集積室５、インナケーシング６などの汚物と接触可能な構成部分に、滅菌塗装や抗菌加工を施した層１００Ａを形成して構成したものであってもよいし、ケーシング１、前板４、集積室５、インナケーシング６などを、滅菌機能や消臭機能を有する素材で形成して構成したものであってもよい。図９では、ケーシング１とインナケーシング６の内側に層１００Ａをコーティングした形態を示している。
このような消臭機能部を備えることでも、臭気の発生を低減して集積室５の内部に集積された汚物の臭気の漏出が確実に阻止される効果を得られる。
【００２４】（実施形態３）
本実施形態は、投入口４と集積室５の間に、図１０に示すような開閉蓋４０を設けるとともに、実施形態１で説明した開閉手段７を備えたものである。開閉手段７の構成については実施形態１で説明しているので、開閉蓋４０の構成を中心に説明する。
開閉蓋４０は、インナケーシング６を介してケーシング１に支持され集積室５の上方側を開閉するもので、平板状に形成された開閉板４１（７１）と、開閉板４１をインナケーシング６の奥側で回動可能に支持するヒンジ４２（７２）と、開閉板４１のヒンジ４２よりもインナケーシング６の奥側に延長された部分に固定された重り４３（７３）と、開閉板４１をインナケーシング６の前側で水平の角度以上の回動を規制するストッパ４４（７４）とを備えている。開閉板４１は、インナケーシング６の下端開口を完全に閉鎖する面積を有している。ストッパ４４は、インナケーシング６の下端縁を屈曲することで形成されている。なお、開閉蓋４０を備える場合、インナケーシング６は、投入口４に連通して開閉蓋４０に至る汚物の投入経路を区画するものとして機能する。
【００２５】  本実施形態に係るサニタリーボックスを使用するには、前板２がケーシング１に吸着保持された状態で、開閉手段７を開閉操作または開閉動作させて投入口４を開口する。そして汚物を掴んだ手を投入口４から挿入して開閉蓋４０の開閉板４１をおもり４３の抵抗に抗して押下げることになる。この結果、汚物を集積する集積室５の上方側が開放された格好となるので、掴んでいる汚物を離して集積室５の内部に落下させる。
【００２６】  このとき、開閉蓋４０の開閉板４１が前側下方に下降傾斜することになって、集積室５の内部に既に集積されている汚物を開閉板４１が圧縮することになる。従って、集積室５の内部に汚物がかなり集積されている状態でも、汚物を集積室５の内部に押し込むことができる。即ち、集積室５の容量が実質的に拡大することができる。
また、投入口４から開閉蓋４０に至る汚物の投入経路がインナケーシング６によって区画されているため、汚物の散乱が防止されて内部の無用の汚損が防止される。
投入後は、そのまま手を引上げて投入口４から引抜くことになる。この結果、開閉蓋４０がテコの構造によって自動的に閉鎖される。開閉蓋４０が閉鎖された状態では、投入口４から開閉蓋４０に至る汚物の投入経路がインナケーシング６によって区画されていることと、前板２がケーシング１に吸着保持されていることとによって、集積室５に集積されている汚物の臭気が外部に漏出することがない。
【００２７】  本実施形態では、投入口４を開閉する開閉手段７だけでなく、投入口４と集積室５との間に設けた開閉蓋４０を備えることで、集積室５と投入口４との連通を２つの構成によって二重に遮断することができるため、集積された汚物の臭気の漏出がより確実に阻止される効果を得られる。
また、集積室５の上端縁５１が傾斜しているため、前板２の回動の際の集積室５と開閉蓋４０との衝突を回避することができる。
【００２８】（実施形態４）
本実施形態は、消臭機能部として光触媒を用いるものである。
実施形態２では、消臭機能部としては、ケーシング１、集積室５、インナケーシング６などの汚物と接触可能な構成部分に、滅菌塗装や抗菌加工を施した層１００Ａを形成して構成したが、本実施形態では、ケーシング１、集積室５、インナケーシング６などの汚物と接触可能な構成部分に、光触媒を用いている。具体的には、図１１に示すように、ケーシング１、集積室５、インナケーシング６などの汚物と接触可能な構成部分の表面に酸化チタンで構成された光触媒層１００Ｂを形成するとともに、光源としてＬＥＤランプを用いる。ＬＥＤランプは例えば、実施形態２で用いた紫外線ランプ１００を用いる。図１１では、集積室５の内容に酸化チタンを塗布して光触媒層１００Ｂを形成し、紫外線ランプ１００を１つ配置している。なお、光源としての紫外線ランプ１００は１つではなく、複数個または複数本であってもよい。
このような消臭機能部として光触媒を用いることで、臭気の発生を低減して集積室５の内部に集積された汚物の臭気の漏出が確実に阻止される効果を得られる。また、汚物と接触可能な構成部分の表面の防汚効果を期待することができるので、清掃作業の回数低減や１回の清作作業の時間の短縮を図ることにつながる。
【００２９】  本実施形態では、光触媒への光供給源として、紫外線ランプ１００を用いたが、光供給源としては、必ずしもサニタリーボックス１が備えなくてもよい。
例えば、図１２に示すように、光触媒層と対向する筐体１の一部に光を透過可能な光取り込み部１１０を形成し、光取り込み部１１０からの外光Ｇを筐体１内に取り込んで光触媒層１００Ｂに照射するようにしてもよい。筐体１は収納空間Ｓ内に収納されることから、光取り込み部１１０は前面２に形成するのが好ましい。
シャッター７０を透明な材質で形成し、このシャッター７０から外光Ｇを筐体１内に取り込むようにしてもよい。すなわち、光取り込み部としてシャッター７０が機能することになる。この場合、集積室５の内容に光触媒層１００Ｂを形成すると、外光Ｇが届き難くなることが想定されることから、図１３に示すように、ケーシング１の内面やインナケーシング６の内面に光触媒層１００Ｂを形成するのが好ましい。
【００３０】  以上、本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
例えば、実施形態３では、実施形態１で説明した投入口４を開閉する開閉手段７と投入口４と集積室５との間に設けた開閉蓋４０の２つの遮蔽手段を備えているが、実施形態３に実施形態２や実施形態４で説明した消臭機能部を備えた構成であってもよい。この場合、開閉手段７と開閉蓋４０による遮蔽機能＋消臭機能部による消臭や除菌機能により、集積された汚物の臭気の漏出をより確実に阻止される効果を得られる。
【００３１】  あるいは、実施形態２の構成に実施形態３で説明した開閉蓋４０を備えた構成実施形態２の構成に実施形態４で説明した光触媒層１００Ｂを備えた構成としても、複数の消臭機能部による消臭や除菌機能により、集積された汚物の臭気の漏出をより確実に阻止される効果を得られる。
実施形態４において、筐体１の一部に光を透過可能な光取り込み部１１０とすることや、シャッター７０を透明な材料で形成して光取り込み部とする例を説明したが、これ以外の構成であってもよい。例えば、光触媒層１００Ｂによる消臭機能が期待できる場合、外光取り込み部としては、筐体１の内部と外部に連通するスリットや開口部、メッシュ部等として、直接外光Ｇが筐体内部に入り込む形態としてもよい。
【００３２】  上記実施形態では、シャッター７０を板状の部材で１つのものとして例示したが、上下、左右あるいは放射方向に開閉する複数の部材で構成された周知の分割式のものであってもよい。
上記実施形態では、投入口４の形状を円形であるものとして例示したが、投入口４の形状は、例えば楕円形、多角形であってもよい。
上記実施形態では、サニタリーボックスがインナーパネル６を備えたものとして説明したが、インナーパネル６が取り除かれた構成のものであってもよい。
【００３３】  本発明の実施の形態に記載された効果は、本発明から生じる最も好適な効果を列挙したに過ぎず、本発明による効果は、本発明の実施の形態に記載されたものに限定されるものではない。
【符号の説明】
【００３４】１                筐体
２                前板
４                投入口
５                集積室
６                インナケーシング
７                開閉手段
４０              開閉蓋
４１              開閉板
４２              ヒンジ
４３              重り
４４              ストッパ
７０              シャッター
７２              操作部
１００            紫外線ランプ（消臭機能部）
１００Ａ          滅菌塗装や抗菌加工を施した層（消臭機能部）
１００Ｂ          光触媒層（消臭機能部）
１１０            光取り込み部
Ｓ                収納空間
【図１】
2020116355.tif 000003
【図２】
2020116355.tif 000004
【図３】
2020116355.tif 000005
【図４】
2020116355.tif 000006
【図５】
2020116355.tif 000007
【図６】
2020116355.tif 000008
【図７】
2020116355.tif 000009
【図８】
2020116355.tif 000010
【図９】
2020116355.tif 000011
【図１０】
2020116355.tif 000012
【図１１】
2020116355.tif 000013
【図１２】
2020116355.tif 000014
【図１３】
2020116355.tif 000015